(57)【特許請求の範囲】
【請求項１】
少なくとも１つのハブ局と、複数のユーザ端末と、Ｎ個の直交シーケンスのコードブックを生成するための手段とを備え、整数ｐについてＮ＝２ｐであり、基本データ記号レートがｆｓであり、固定チップ・レートがｆｃであり、ｆｃ＝ＮｆｓであるＯＤＳ−ＣＤＭＡ通信システムであって、
同一のチップ・レートと実質的に一定の振幅の信号とを送信機において維持しながら、多重データ・レートを有するユーザに対して、異なる長さの互いに直交する符号を割り当てることにより、前記ユーザを支援する手段を備え、
ユーザは、前記基本データ記号レートｆｓよりも低いレートを要求することができ、レートｆｓ／２ｒの低いレート（ただし、ｒは０からｑまで）のユーザのデータ記号は、長さ２ｒの直交符号と該ユーザに割り当てられたＮチップの符号語とのクロネッカー積によって構成される長さ２ｒＮの長い符号を使用して拡散されるＯＤＳ−ＣＤＭＡ通信システム。
【請求項２】
２ｒｆｓのレート（ただし、ｒは０からｐまで）でデータを送信することを望むユーザが、Ｎ個の直交シーケンスの前記コードブックからの長さＮの割り当てられる符号語を２ｒ個のサブシーケンスに分割することにより生成される長さＮ／２ｒの直交サブシーケンスを割り当てられる、請求項１に記載のシステム。
【請求項３】
前記コードブックにおける前記符号語の選択サブシーケンスも直交であるように直交コードブックを生成するために、アダマール・マトリックスのシルヴェスター構成が使用される、請求項１に記載のシステム。
【請求項４】
ユーザが基本データ記号レートｆｓよりも低いレートを要求することができ、レートｆｓ／２ｒの低いレート（ただし、ｒは０からｑまで）のユーザのデータ記号は、シルヴェスター・アダマール・マトリックスＨ（２ｒ）の行と当該ユーザに割り当てられたＮチップの符号語とのクロネッカー積によって構成される長さ２ｒＮのより長い符号を使用して拡散される、請求項１に記載のシステム。
【請求項５】
少なくとも１つのハブ局と、複数のユーザ端末と、前記ハブ局への及び前記ハブ局からの信号を中継する１つ又は複数の衛星又は他の手段と、Ｎ個の直交シーケンスのコードブックを生成する手段とを備え、整数ｐについてＮ＝２ｐであり、基本データ記号レートがｆｓであり、固定チップ・レートがｆｃであり、ｆｃ＝ＮｆｓであるＯＤＳ−ＣＤＭＡ通信システムであって、
同一のチップ・レートと実質的に一定の振幅の信号とを送信機において維持しながら、多重データ・レートを有するユーザに対して、異なる長さの互いに直交する符号を割り当てることにより、前記ユーザを支援する手段を備え、
ユーザは、前記基本データ記号レートｆｓよりも低いレートを要求することができ、レートｆｓ／２ｒの低いレート（ただし、ｒは０からｑまで）のユーザのデータ記号は、長さ２ｒの直交符号と該ユーザに割り当てられたＮチップの符号語とのクロネッカー積によって構成される長さ２ｒＮの長い符号を使用して拡散されるＯＤＳ−ＣＤＭＡ通信システム。
【請求項６】
２ｒｆｓのレート（ただし、ｒは０からｐまで）でデータを送信することを望むユーザが、前記Ｎ個の直交シーケンスのコードブックからの長さＮの割り当てられた符号語を２ｒ個のサブシーケンスに分割することにより生成される長さＮ／２ｒの直交サブシーケンスを割り当てられる、請求項５に記載のシステム。
【請求項７】
前記コードブックにおける前記符号語のサブシーケンスの選択サブシーケンスも直交であるように直交コードブックを生成するために、アダマール・マトリックスのシルヴェスター構成が使用される、請求項５に記載のシステム。
【請求項８】
ユーザは基本データ記号レートｆｓよりも低いレートを要求することができ、レートｆｓ／２ｒの低いレート（ただし、ｒは０からｑまで）のユーザのデータ記号は、シルヴェスター・アダマール・マトリックスＨ（２ｒ）の行とこのユーザに割り当てられた前記Ｎチップの符号語とのクロネッカー積によって構成される長さ２ｒＮのより長い符号を使用して拡散される、請求項５に記載のシステム。
【発明の詳細な説明】
【０００１】
背景及び先行技術の簡単な説明
スペクトル拡散通信は多数の商用アプリケーションに使用されており、急速に普及している。同期直交ダイレクト・シーケンス符号分割多重アクセス（ＯＤＳ−ＣＤＭＡ）は、より一般的に使用されている疑似直交ＣＤＭＡの容量、即ち、帯域幅効率を改善する効果的な技術として提案されてきた（参照により本明細書に援用する米国特許第５，３７５，１４０号「無線ダイレクト・シーケンス・スペクトル拡散デジタル・セルラー電話システム」を参照されたい）。
【０００２】
従来のダイレクト・シーケンス（ＤＳ）広域帯ＣＤＭＡシステムにおいては、個々のユーザは異なった擬似ノイズ（ＰＮ）符号を使用して同じ周波数で送信する。ＰＮ符号は疑似直交であり、即ち、比較的低いがゼロではない相互相関値を互いに有している。
【０００３】
ＯＤＳ−ＣＤＭＡシステムは、時間周波数同期で全ての信号が受信されるように設計されている。したがって、全てのユーザは互いに直交のままであり、理想的な世界においては、あらゆるユーザは他のユーザからの多重アクセス雑音なしに復調され得る。これは、多数のユーザが単一のハブ局へ送信しそこから受信する星形ネットワークにおいて最も実用的である。この構成は、セル方式ネットワーク並びに衛星ネットワークにおいて使用される。
【０００４】
ＯＤＳ−ＣＤＭＡシステムにおいて、各ユーザには、他のユーザ符号の全てに直交する符号が割り当てられる（即ち、直交符号は互いにゼロの相互相関値を有する）。更に、直交符号期間は、符号がデータ記号時間において整数回（利用可能な直交機能の最大数を結果として生じるので、通常は１回である）繰り返すように選択される。符号エポックは、その符号内でデータ遷移が生じないように、記号遷移と同期している。ユーザ数は利用可能な直交符号の数によって制限され、それは多くても符号の長さに等しい。したがって、チッピング・レートは直交ユーザの最大数と記号レートとの積に等しい。
【０００５】
利用可能な帯域幅の効率的な使用は、参照により本明細書に援用される米国特許第５、６８７、１６６号「スペクトル拡散ＣＤＭＡ通信のための変調システム」において教示されているように、二重位相拡散及びＭＰＳＫデータ変調によって達成される。
【０００６】
異なるレートの種々のユーザを受け入れることが望ましことが多いが、ここで、レートは２nによって関連づけられており、ｎは正の整数である。これを行うための１つの符号効率的な方法は、最低のユーザ・レートにシステムの大きさを合わせ、次いで、より高いレートのデータを多重分離し、即ち、ユーザの名目レートの４倍のデータは多重分離されて４個の符号に拡散され、これは送信のために合計される。このスキームは、直交符号の使用においては効率的であるが、加入者端末の電力増幅器効率にとっては不利である広いダイナミック・レンジを有する信号を生成する。また、これは、元のデータ・ストリームを回復するために、多重相関器及び多重化も必要とする。この技術はＢｅｌｌ  Ｌａｂｓ  Ｔｅｃｈｎｉｃａｌ  Ｊｏｕｒｎａｌ、ｖｏｌ．２、ｎｏ．３、１９９７年夏号の「ＢＡＬＩ：高速ＣＤＭＡデータのための解」においてＥｊｚａｋその他により論じられている。
【０００７】
もう１つの技術は、参照により本明細書に援用される「多重搬送波変調を有する直交符号分割多重アクセス通信システム」という名称の、現在では米国特許第５，５７４，７２１号となった米国特許出願第０８／３５２，３１３号において開示されている。この開示においては、各種のＯＤＳ−ＣＤＭＡ信号が直交的に間隔をあけた（即ち、チッピング・レートで間隔をあけた）搬送波上で送信され、高レートの単一のユーザからのデータは、多重搬送波上に多重分離されることが示唆されている。やはり、これは広い振幅変化を有する信号を生じることになる。
【０００８】
参照により本明細書に援用される米国特許第５，４１６，７９７号「ＣＤＭＡセルラー電話システムにおける信号波形を生成するためのシステム及び方法」においては、名目よりも低いデータ・レートは、名目記号レートを得るために低いレートのユーザのデータ記号を多数回繰り返すことにより、セルから移動体へのリンク（直交である）上で支援されている。この記号列は次いで直交符号によって拡散されて、より低いレートに比例したより低い電力で送信される。この技術は直交符号空間効率的でない、即ち、低レートの各ユーザが高いレートのユーザと同じ量の符号空間を使用するという欠点を有する。
【０００９】
ＩＥＥＥ  Ｊｏｕｒｎａｌ  ｏｎ  Ｓｅｌｅｃｔｅｄ  Ａｒｅａｓ  ｉｎ
Ｃｏｍｍｕｎｉｃａｔｉｏｎ、ｖｏｌ，１２、ｎｏ．４、１９９４年５月の「ＣＤＭＡをベースとする第３世代モバイル無線システムの設計研究」において、Ｂａｌｅｒ等は、ＣＤＭＡシステムにおいて可変データ・レートを支援するために可変長拡散符号を使用することを提案している。しかし、彼らは、必ずしも直交ではないＰＮ符号を使用することを提案している。
【００１０】
発明の目的
本発明の目的は、ＯＤＳ−ＣＤＭＡ通信システムが、全部が等しくないデータ・レートで効率的に機能できる手段を提供することである。このデータ・レートの非等質性が、ＯＤＳ−ＣＤＭＡ通信システムの信号レート及び直交性が等質データ・レート・システムにおけるのと同じままでありながら、異なったユーザが異なったデータ帯域幅で通信することを可能にしている。
【００１１】
発明の別の目的は、データ・レートが２nによって関連づけられ、且つ、利用可能な直交符号空間の使用を効率的にする、即ち、記号レートＲ／ｋのユーザが記号レートＲのユーザの符号空間のｌ／ｋを使用する種々のユーザを支援するＯＤＳ−ＣＤＭＡシステムを提供することである。
【００１２】
本発明の更なる目的は、全てのレートのユーザが比較的一定な振幅の信号を送信することを保証することである。これは、コスト及び電力消費への影響のために高い送信機電力効率（飽和状態かそれに近い状態）が望ましい加入者端末にとって特に重要である。
【００１３】
本発明の更に別の目的は、信号処理の複雑性を最小に維持することである。
発明の要約
ＯＤＳ−ＣＤＭＡシステムにおいては、各ユーザは他のユーザ符号の全てに対して直交する符号を割り当てられる（即ち、直交符号は互いに相互相関値ゼロを有する）。更に、直交符号期間は、符号がデータ記号時間において整数回（利用可能な直交関数の最大数を結果として生じるので、通常は１回である）繰り返すように選択され、符号エポックは、その符号内でデータ遷移が生じないように、記号遷移と同期している。したがって、完全に同期したシステムにおいては、個々のユーザを他のユーザからの干渉なしに復調することができる。
【００１４】
ユーザ数は利用可能な直交符号の数によって制限され、それは多くても符号の長さに等しい。チッピング・レートは直交ユーザの最大数と記号レートとの積に等しい。これは、固定チッピング・レートについては、Ｒ／４のレートでのシステム送信データは、レートＲのシステムの４倍の数のユーザを受け入れることができることを意味する。
【００１５】
種々のユーザ・レートを有するシステムにおける符号空間の効率的使用は、レートＲ／４のユーザがレートＲのユーザの直交関数空間の１／４を占めるにすぎないことを保証する。本明細書において開示された発明は、符号語のサブシーケンスも直交している直交コードブックの選択によって、かかる直交符号を構成する効率的な方法を教示する。かかるコードブックにより、高レートのユーザのための短い符号はサブシーケンスによって直接決定され、低レートのユーザのための長い符号は、直交符号語がこれらのユーザに割り当てられた状態で、そのサブシーケンスのクロネッカー積によって決定される。好適な実施の形態として、直交コードブックを生成するためにアダマール・マトリックスのシルヴェスター構造が使用される。したがって、本発明は、一定のチップ・レートの同期ＯＤＳ−ＣＤＭＡ通信システムにおいてどのように可変データ・レートを効率的に支援するかを開示している。
【００１６】
本発明の新規性は、より短い符号語を使って高レートのデータを拡散し、逆に、より長い符号語を使って低レートのデータを拡散することを可能にし、これら全てが互いに直交のままである直交コードブックの選択にある。
【００１７】
更に、本発明を使用して、各ユーザは振幅が一定である単一の符号を送信するのであり、データの多重化や多重分離を必要としない。開示した技術によって、名目上のデータ・レートよりも高いか低いレートを提供するのに必要な追加の符号生成器又は相関器を必要としないので、受信機及び送信機の複雑性は低くなる。更に、信号の振幅の一定性によって、効率的な電力増幅が可能になる。
【００１８】
発明の詳細な説明
ＯＤＳ−ＣＤＭＡ通信システムの一般化された構造が図１に示される。発明の説明を容易にするためにリターン・リンク構造を示したが、この概念はフォワード・リンクにも適用できる。リターン・リンク構造においては、多くのユーザは、送信用の何らかの媒体を使用する変調器及び送信機プロセスによってハブ局と通信する。最も一般的な送信用媒体は無線周波数電磁放射である。この例においては、リターン・リンクにおける全てのユーザは、同じ形式の変調器を使用して同じ搬送波周波数で送信する。ユーザは、ハブ局で受信される全ての信号が時間同期であるような時期に送信することが必要である。各ユーザにより送信される波形は、直交ＯＤＳ−ＣＤＭＡ符号で拡散されたＭＰＳＫ変調データを含む。
【００１９】
全てのユーザについて一定のチップ・レートを維持しながら、多数のデータ・レートを提供するために、各ユーザに対する拡散符号の長さが変えられる。短い符号語を使って高レートのデータを拡散し、逆に、長い符号語を使って低レートのデータを拡散し、これら全てが互いに直交であることを可能にする直交コードブックが構成される。好適な実施の形態においては、アダマール・マトリックスのシルヴェスター構造を使ってコードブックが生成される。
【００２０】
ディメンションＮのシルヴェスター・アダマール・マトリックスが
【００２１】
【数１】
0004361682.tif 000002
のように再帰的に定義されることは、当該技術分野においては周知である。ここで、Ｈ（１）＝［１］でＮ＝２nであり、ｎは正の整数である。アダマール・マトリックスＨ（Ｎ）のＮ個の行は、直交コードブックを定義する。便宜上、これらの行には、一番上の行から始めて０からＮ−１が付される。Ｈ（Ｎ）の再帰的構造から、これは形式±Ｈ（Ｎ／２k）のシルヴェスター・アダマール・サブマトリックスで構成されていることが分かり、ここでｋは１からｎ−１までの範囲の正の整数である。Ｈ（Ｎ／２k）の行は直交であるので、Ｈ（Ｎ）の符号語は、やはり直交である長さＮ／２kのサブシーケンスからなることになる。
【００２２】
固定チップ・レートがｆcで、基本データ記号レートがｆsで、ｆc＝ＮｆsであるようなＮ個の直交シーケンスのコードブックを有する多重レートＯＤＳ−ＣＤＭＡ通信システムを想定する。基本記号レートのデータ・ストリームを有するＭ人のリターン・リンク・ユーザがいる場合に、各ユーザには、Ｍ≦Ｎである限り、Ｎ個の直交符号語のうちの１つを割り当てることができる。しかし、基本レートに比べて高いか低いデータ・レートを要求するユーザがいる場合には、それらのユーザにはそれぞれ、より短いか長い符号語を割り当てることができる。これらのより短い（より長い）符号は、ＯＤＳ−ＣＤＭＡシステムの直交性が維持され、符号空間が効率的に使用されるような方法で、符号語から構成される。最初に、これらの可変長の符号語を構成する一般的アプローチを動機づけるために、図示した例を考察する。
【００２３】
ユーザの１人がより高い記号レート、例えば基本レートの２倍のレート２ｆsを要求したとする。拡散シーケンス長と記号レートとの積であるチップ・レートは固定されているので、ｆc＝（Ｎ／２）（２ｆs）から、記号当たりの拡散シーケンス長はＮ／２に低減されなければならないことになる。これは、高レートのユーザの交互の記号を、符号語の最初のＮ／２チップ及び同じ符号語の最後のＮ／２チップによって拡散することにより実施することができる。この符号語は２つのＮ／２サブシーケンスに分割されるので、残りの符号語は、基本レートｆsのユーザと高レート２ｆsのユーザとが互いに干渉しないでＯＤＳ−ＣＤＭＡシステムの直交性を維持するように、これら２つのサブシーケンスのそれぞれに対して直交しなければならない。
【００２４】
このユーザにｋ番目の符号語を割り当てるとする（ｋ＝０、１、・・・・、Ｎ−１）。シルヴェスター・アダマール・マトリックスが直交コードブックとして使用される場合には、（ｋ＋（Ｎ／２））mod(N)符号語は、同じ２つのサブシーケンス（±符号まで）を含み、したがって他のユーザには割り当てることができないので、要求されたＮ／２サブシーケンスの直交性を保有していない。例えば、高レートのユーザがｋ番目の符号語ｃk＝［ＳN/2  ＳN/2］を割り当てられた場合には、ｊ＝（ｋ＋（Ｎ／２））mod(N)に関する符号語ｃj＝［ＳN/2  ＳN/2］は、他のユーザに割り当てられず、その逆もできない。レート２ｆsのユーザがＮ／２空間における単一の短いサブシーケンス（例えば、サブシーケンスＳN/2）を割り当てられた場合には、これはＮ空間のコードブックにおいて２つの符号語を使用することと等価である。よって、代替的な実施においては、レート２ｆsのユーザは、そのユーザに長さＮ／２の短いサブシーケンスを割り当て、このサブシーケンスを含む符号語を、割り当て可能な符号語のリストから削除することにより支援できる。
【００２５】
一般的に、Ｎ個のシルヴェスター・アダマール・シーケンス（ただし、整数ｐについてＮ＝２p）のコードブック、基本データ記号レートｆs及び固定チップ・レートｆc＝Ｎｆsを有する多重レートＯＤＳ−ＣＤＭＡシステムは、基本レートよりも高いデータ・レートを有するユーザを支援できる。ユーザはデータをレート２rｆsで送信することを要求することができ、ここで、ｒは０からｐの範囲にある。これは、チッピング・レート、ｆc＝（Ｎ／２r）（２rｆs）が一定のままであるように、拡散コードの長さをＮ／２rに低減することにより達成される。長さＮ／２rのサブシーケンスは、長さＮの割り当てられた符号語を２rの副符号に細別することにより生成できる。これらの副符号はレート２rｆsのデータ・ストリームの２r個の連続した記号を拡散するのに使用される。シルヴェスター・アダマール・シーケンスの場合には、長さＮのあらゆる符号語が長さＮ／２rの反復されるサブシーケンス（±符号まで）であり、これは同じ長さの他の非同一サブシーケンスに直交である。
【００２６】
更に、ｋ番目の符号語が長さＮ／２rの反復されるサブシーケンス（±符号まで）から構成されるのであれば、全てのｉ＝１、２、・・・・、２r−１及びｒ＞０に関する符号語（ｋ＋ｉ（Ｎ／２r））mod(N)も同じサブシーケンス（±符号まで）で構成され、システムの直交性が保持される場合には、もはや割り当てに利用できない。実際に、データ・レート２rｆsの１人のユーザを支援することは、２r−１の符号が使用不可能にされるので、レートｆsの２r人のユーザを支援することと効果的に同等である。
【００２７】
多数のユーザが異なったデータ・レートで送信するネットワーク設定においては、新たなユーザのデータ・レート要求を受け入れるために、割り当て可能なサブシーケンスのチェックに関して、適切な規定を作らなければならない。事実、ネットワーク・コントローラは、サブシーケンスがより低いレートのユーザのより長いサブシーケンスに含まれていないことを確認してからサブシーケンスを割り当てなければならない（より低いレートのユーザは、サブシーケンス長にわたって直交ではないであろうから）。更に、そのサブシーケンスは既に使用されているより短い長さのサブシーケンスを含んではならない。
【００２８】
ネットワーク・コントローラにとっては、種々のユーザ・レートが変化するにつれて符号空間を最も効率的に使用するために、直交シーケンスの割り当てを定期的に変更する能力を有することが有利である。また、レート２rｆsのデータの記号間隔は、レートｆsのデータの記号間隔の１／２r倍に低減されるので、アプリケーションに応じて、送信電力を２rだけ増加して同じレベルの性能を維持することが望ましい。
【００２９】
逆に、Ｎ個の直交シーケンスのコードブック、基本データ・レートｆs及び固定チップ・レートｆc＝Ｎｆsを有する多重レートＯＤＳ−ＣＤＭＡ通信システムは、基本レートよりも低いデータ・レートを有するユーザを支援できる。ユーザはレートｆs／２rでデータを送信することを要求でき、ここでｒは０からｑの範囲にある正の整数である。ｆs／２rとより低いレートのユーザは、チップ・レートｆc＝（２rＮ）（ｆs／２r）が一定のままであるように、長さ２rＮの長い拡散符号を割り当てられる。この長い符号は、以下のように、このユーザに割り当てられる符号語ｃk（ただし、ｋ＝０、・・・・、Ｎ−１）から構成される。
【００３０】
まず、サイズ２rの直交関数のセットＧ（２r）が構成される。これは、シルヴェスター・アダマール・マトリックスでありうるが、必ずしもそうである必要はない。符号語ｃkを有するＧ（２r）のｆ番目の行のクロネッカー積は、長さ２rＮの２r個の互いに直交する符号のセットの要素Ｌjk（ただし、ｊ＝０・・・・、２r−１）を作り出す。これらの長い行列のそれぞれは、符号語ｃkを有するＧ（２r）の各行のクロネッカー積によって形成されるより長い符号語Ｌjと同様に、符号語ｃiに直交であり、ここでｉ≠ｋである。したがって、レートｆs／２rの２rまでのユーザには、それぞれのユーザに異なったＧ（２r）の行を割り当てることにより、単一の符号語ｃkに割り当てることができる。この符号構成技術は、ｆsによって制限された最大総合記号レートを備えた形式ｆs／２rの異なったレートを種々のユーザに提供するように一般化され得る。
【００３１】
この提案したスキームは、レートｆs／２rでのデータの記号間隔がレートｆsでのデータの記号間隔の２r倍に増加することを示唆している。より低いデータ・レートのユーザは、同じ記号対雑音エネルギー比（Ｅｓ／Ｎｏ）を維持するために、送信電力を２rだけ低減することが望ましい。
【００３２】
ハブ局は、リターン・リンクのユーザによって送信される信号波形の重ね合わせを受信する。受信信号は、多重レートＯＤＳ−ＣＤＭＡ受信機によって復調されて拡散解除される。拡散解除動作は、受信した波形を記号間隔にわたって所望のユーザの拡散シーケンスと相関させることを含む。したがって、ｆsよりも高いデータ・レートのユーザを支援する多重レート・システムにおいては、レート２rｆsのユーザの波形は該ユーザの割り当てられたＮ／２rチップサブシーケンスに対して相関させることにより拡散解除される。逆に、ｆsよりも低いデータ・レートのユーザを支援する多重レート・システムにおいては、レートｆs／２rのユーザの波形は、該ユーザの割り当てられた２rＮチップ・クロネッカー積符号と相関させることにより拡散解除される。両方の場合に、拡散解除動作は、直交性を保持するために、全てのユーザの符号語が符号境界で時間整列されること、及び、全てのユーザのデータ記号レートが受信機で知られていることを必要とする。更に、より低いレートを支援するシステムにおいては、クロネッカー積符号を形成する際に使用されるＧ（２r）の行インデックスは、受信機で知られていなければならない。これらの要件を満たすために、多重レートＯＤＳ−ＣＤＭＡシステムにおいて適切な規定が作られる。
【００３３】
提案した多重レートＯＤＳ−ＣＤＭＡシステムにおけるリターン・リンク構造の機能ブロック図が図１に示される。同図において、Ｍ人のユーザがデータ記号レート２r1ｆs、２r2ｆs、・・・・、２rMｆsでハブ局にデータを送信する。ここでｒｊ（ただし、ｊ＝１、．．．、Ｍ）はｆsよりも高いレートを支援するシステムについては０からｐの範囲にあり、ｆsよりも低いレートを支援するシステムについては−ｑから０の範囲にあり、高いレートも低いレートも支援するシステムについては−ｑからｐの範囲にある。ｊ番目のユーザがより高いレート（ｒｊ≧０）を要求する場合には、そのユーザの符号生成器はレートｆsで長さＮの符号語を生成するが、これはレート２rjｆsで時分割多重において長さ２rjＮの２rj個の副符号を生成することと等価である。一方、ｊ番目のユーザがより低いレート（ｒｊ≦０）を要求する場合には、そのユーザの符号生成器はレート２rjｆsで長さ２rjＮのクロネッカー積符号を生成する。したがって、各記号間隔において、Ｔj＝１／（２rjｆs）であり、ｊ番目のユーザのデータ記号には符号生成器からの符号語が乗じられ、その結果得られるチップ・シーケンスが変調されてハブ局に送信される。
【００３４】
ハブ局は、Ｍ人のリターン・リンク・ユーザの複合信号波形を受信する。ハブ局における例示的な多重レートＯＤＳ−ＣＤＭＡ受信機の機能ブロック図が図２に示される。受信機は受信波形を復調し、それを拡散解除する。ｒｊ≧０のｊ番目のユーザについては、拡散解除は、復調されたデータのＮ個のチップの各ブロックを長さ２rjＮのサブシーケンスにフォーマットすること、及び、これらのサブシーケンスのそれぞれを符号生成器からの副符号と相関させることを含む。ｒｊ≦０であれば、２rjＮ個のチップの各ブロックは、符号生成器からの長い符号と相関される。チャンネルの歪みがない場合には、相関器の出力はユーザ・データを生じる。
【００３５】
本発明を実施した単純な説明的な例は次のとおりである。ディメンションＮ＝４のシルヴェスター・アダマール・マトリックス
【００３６】
【数２】
0004361682.tif 000003
から得られたコードブックと基本データ記号レートｆsと固定チップ・レートｆc＝４ｆsとを有する多重レートＯＤＳ−ＣＤＭＡシステムを想定する。
【００３７】
ユーザ１には符号語０、即ちｃ0＝［＋１  ＋１  ＋１  ＋１］が割り当てられ、レートｆsで送信していると想定する。ここで、新しいユーザ、即ちユーザ２がレート２ｆsで送信することを要求する。割り当てに利用可能な符号ｃ1、ｃ2及びｃ3から、ｃ1又はｃ3のみをユーザ２に割り当てることができる。これは、ｃ2の２つのサブシーケンス、即ち［＋１  ＋１］及び［−１  −１］の長さがｃ0の対応のサブシーケンスに対して直交ではないからである。符号ｃ1をユーザ２に割り当てるとする。時間間隔Ｔs＝１／ｆs内にユーザ１によって送信されるチップ・シーケンスはｘ(1)＝ｓ(1)［＋１  ＋１  ＋１  ＋１］であり、ここでｓ(1)はそのときのデータ記号である。同様に、同じ時間間隔内にユーザ２によって送信されるチップ・シーケンスはｘ(2)＝［ｓa(2)［＋１  −１］  ｓb(2)［＋１  −１］］であり、ここでｓa(2)及びｓb(2)はそのときのデータ記号である。そのときの割り当てシナリオでは、記号レートｆs以下の新たなユーザには符号ｃ3のみが割り当てのために利用可能である。より高い記号レートを要求するユーザは、コードが再割り当てされなければ支援されない。
【００３８】
ハブ局で受信される信号（復調後）は
【００３９】
【数３】
0004361682.tif 000004
の形式である。信号は、適切な拡散符号と相関させることにより拡散解除される。ユーザ１については、これは、送信データ記号を生ずる次の内積を計算することにより達成される。
【００４０】
【数４】
0004361682.tif 000005
ユーザ２のデータ記号は、まず受信したチップ・シーケンスを２個のサブシーケンスｒ＝［ｒa  ｒb］に分割し（ただし、
【００４１】
【数５】
0004361682.tif 000006
である）、次いで、次の内積を計算することにより得られる。
【００４２】
【数６】
0004361682.tif 000007
及び
【００４３】
【数７】
0004361682.tif 000008
ここで、第３のユーザ、即ちユーザ３がレートｆs／２で送信することを要求すると想定する。このユーザに、符号語ｃ3とオーダー２のシルヴェスター・アダマールであるＧ（２）の行０とを割り当てるとする。ユーザ３の長い拡散符号は、符号語ｃ3を有するＧ（２）の行０のクロネッカー積、即ち
【００４４】
【数８】
0004361682.tif 000009
によって求められる。これは８チップ長である。
【００４５】
レートｆs／２の別のユーザには、ｃ3を有するＧ（２）の行１のクロネッカー積を取って
【００４６】
【数９】
0004361682.tif 000010
を求めることにより構成される直交符号が提供され、又は、２人の別のユーザは、Ｌ13を有するＧ（２）の行のクロネッカー積を取って
【００４７】
【数１０】
0004361682.tif 000011
及び
【００４８】
【数１１】
0004361682.tif 000012
を構成することにより、レートｆs／４で支援することができる。なお、符号Ｌ’03及びＬ’13は１６チップ長である。
【００４９】
ハブ局では、ユーザ３のデータ記号は、時間Ｔs＝２／ｆsにわたって受信信号を長い符号Ｌ03と相関させることにより得られる。この符号の構成から、ユーザ１及びユーザ２からの干渉は相関器出力においてゼロであることになる。
【００５０】
要するに、上記のシステム例は、ｆsよりも高い２ｆs及び４ｆsのレートと、ｆs／２、ｆs／４、．．．、ｆs／２qの低い記号レートとを支援することができる。
【００５１】
多重レート・システムが、総システム・スループット４ｆsを有する全能力で高いレートのみを許容する場合には、以下の割り当てシナリオ、即ち、
ａ）４人のユーザがｆsで送信する
ｂ）２人のユーザがｆsで送信し、１人のユーザが２ｆsで送信する
ｃ）２人のユーザが２ｆsで送信する
ｄ）１人のユーザが４ｆsで送信する
を支援することができる。
【００５２】
逆に、多重レート・システムが、各符号語ｃk（ただし、ｋ＝０、１、２、３）について低いレートのみを許容する場合には、次のシナリオ、即ち、
ａ）１人のユーザがｆsで送信する
ｂ）２人のユーザがｆs／２で送信する
ｃ）２人のユーザがｆs／４で送信し、１人のユーザがｆs／２で送信する
ｄ）４人のユーザがｆs／４で送信する
ｅ）２q人のユーザがｆs／２qで送信する
のうちいくつかを支援することができる。
【００５３】
ｆsの最大データ・レートは符号語毎に支援され得、前述のように、４ｆsの総システム・スループットを生ずる。最後に、多重レート・システムが高いデータ・レートも低いデータ・レートも許容する場合には、多様な割り当てシナリオが可能であるが、総システム・スループットは４ｆsによって制限される。
【図面の簡単な説明】
【図１】  ユーザがＭ人である多重レートＯＤＳ−ＣＤＭＡリターン・リンク構造の図である。
【図２】  ハブ局における例示的なＯＤＳ−ＣＤＭＡ受信機の図である。
【図１】
0004361682.tif 000013
【図２】
0004361682.tif 000014